(57)【要約】【課題】開口部内に尿等の汚水が浸入することを防止するシャッター部を備えるとともに、シャッター部が見えづらくても容易に着脱できるようにする。【解決手段】洗浄水を噴出するノズル本体６を保持しシャッター部１０との着脱機構を有するノズルマウント７と、開口部３と便器内とを遮断するように設けられた着脱機構を有するシャッター部１０と、ノズルマウント７から延伸した着脱を容易にするガイド８とで構成する。本体内部にあるノズルマウント７に着脱機構が備えられているため目立たないものとなっている。またシャッター部１０の取り付けの際にも、ガイド８にそって差し込むだけで容易に装着できる。【選択図】図２
2005171541.tif 000002
【特許請求の範囲】
【請求項１】
便器上に設けられ、内部に人体の局部を洗う洗浄手段を内装する本体と、前記本体の前部に開口部を有する便座装置において、前記開口部と便器内とを遮断するための、着脱機構を有するシャッター部と、着脱を容易にするガイドを設けた便座装置。
【請求項２】
洗浄手段は、待機位置と使用位置間で移動可能な、洗浄水を噴出するノズル本体からなり、前記ノズル本体を保持しシャッター部との着脱機構を有するノズルマウントと、前記ノズルマウントから延伸するガイドとからなる請求項１に記載の便座装置。
【請求項３】
ガイドの下面は略水平である請求項１または２に記載の便座装置。
【請求項４】
着脱機構は、ノズルマウント先端の下側にあるツメを掛ける孔と、シャッター部の下側にあるツメからなる請求項２に記載の便座装置。
【発明の詳細な説明】
【技術分野】
【０００１】
本発明は人体の局部を洗浄する便座装置に関するものである。
【背景技術】
【０００２】
従来この種の便座装置としては、便器上に設けた本体と、本体に人体の局部を洗う洗浄手段を内装し、その洗浄手段には、待機位置と使用位置間で移動可能な洗浄水を噴出するノズル本体を本体内に設置し、使用時にはケースに存在する開口部よりノズル本体を突出させ洗浄するといった構成のものであり、本体内部に温風ファンを設置し、洗浄後に別の開口部より温風を臀部に吹き付けて乾燥する構成のものや、さらに別の開口部より、便鉢内から臭気を吸引する脱臭装置を備えたものもある。しかし、開口部より尿等の汚水が混入し衛生的ではなく、また臭気発生の元にもなっていた。そこで例えば、便器後縁から前方にせり出し、下面部分に開口部を有するタンクカバーと、タンクカバー内に設置される洗浄ノズルと、洗浄ノズルに備えられ開口部を通じて便鉢内へ突出可能なノズル本体と、開口部を便鉢に対して遮断するシャッターとで構成されるものがあった（特許文献１参照）。図９は前記文献に記載された従来の温水装置を示すものである。図９においてノズル本体が待機時は、シャッター部１０が開口部を便鉢に対して遮断した状態になり、開口部内に尿等の汚水が浸入することを防止していた。
【特許文献１】特開平１０−１９５９５７号公報（図９）
【発明の開示】
【発明が解決しようとする課題】
【０００３】
しかしながら、前記従来の構成では、尿等の汚水はシャッターに付着することとなるが、シャッターは便器面より低い位置にあり、またタンクカバーとの隙間も存在するため掃除が困難であるといった課題があった。一方、タンクカバーにシャッターの着脱機構を設けると外観上目立ってしまって良くない。また洗浄ノズルにシャッターを取り付け、脱着機構を設けると外観上は見えづらくて良いが、見えづらいため着脱が困難であるといった課題があった。
【０００４】
本発明は、前記従来の課題を解決するもので、見えづらくても容易に着脱可能である着脱手段の提供を目的とする。
【課題を解決するための手段】
【０００５】
本発明は上記課題を解決するために、洗浄水を噴出するノズル本体を保持するノズルマウントと、ノズルマウントとの着脱機構を備えたシャッター部と、ノズルマウントから延伸し、着脱を容易にするガイドを備えたものである。
【０００６】
上記発明によれば、本体内部にあるノズルマウントに着脱機構が備えられているため目立たないものとなっており、またシャッター部の取り付けの際にも、ガイドにそって差し込むだけで容易に装着できる。
【発明の効果】
【０００７】
本発明の便座装置は、着脱を容易にするガイドを設け、着脱機構を有するシャッター部を本体内部に取り付けることにより、見えづらくても容易に着脱可能となる。
【発明を実施するための最良の形態】
【０００８】
第１の発明は、便器上に設けられ、内部に人体の局部を洗う洗浄手段を内装する本体と、本体の前部に開口部を有する便座装置において、開口部と便器内とを遮断するための、着脱機構を有するシャッター部と、着脱を容易にするガイドを設けたものである。上記の構成により、シャッター部の取り付けの際にも、ガイドにそって差し込むだけで容易に装着できる。
【０００９】
第２の発明は、便器上に設けられ、内部に人体の局部を洗う洗浄手段を内装する本体と、本体の前部に開口部を有する便座装置において、洗浄手段は、待機位置と使用位置間で移動可能な、洗浄水を噴出するノズル本体からなり、ノズル本体を保持しシャッター部との着脱機構を有するノズルマウントと、開口部と便器内とを遮断するように設けられた着脱機構を有するシャッター部と、ノズルマウントから延伸した着脱を容易にするガイドとで構成されるものである。上記の構成により、本体内部にあるノズルマウントに着脱機構が備えられているため目立たないものとなっており、またシャッター部の取り付けの際にも、ガイドに沿って差し込むだけで容易に装着できる。
【００１０】
第３の発明は、ガイドの下面を略水平とすることにより、シャッター部の着脱方向をより着脱し易い水平方向にすることが出来る。
【００１１】
第４の発明は、着脱機構をノズルマウント先端の下側にあるツメを掛ける孔とシャッター部の下側にあるツメから構成することにより、着脱の際、手の入れやすい本体の下側から手を入れることができ、その際万一シャッター部を落とした際も手の中に落ちる構成となり便器内に落ちづらく不衛生でない。
【００１２】
以下、本発明の実施の形態について、図面を参照しながら説明する。なお、本実施の形態によって本発明が限定されるものではない。
【００１３】
（実施の形態１）
図１は本発明の実施の形態１における便座装置本体の斜視図、図２はノズルマウント部での断面図、図３はシャッター部を取り外したノズルマウント側面図、図４は図３の上面図、図５は別の実施の形態におけるシャッター部を取り外したノズルマウント側面図である。本体１前面の開口部３を遮断するようにシャッター２が取り付けられている。ノズル本体６を保持するノズルマウント７にはツメ４を掛ける孔５が下側にある。また、ノズルマウント両側面よりガイド８が延伸する。シャッター２は着脱可能なシャッター部１０の前方に取り付けられており、シャッター部１０にはガイド８を収納するような溝９がある。ガイド８に沿ってシャッター部１０を溝９に差込み、シャッター部１０下側のツメ４を孔５に掛けることで固定される。本実施の形態に示すように、本発明では、着脱機構が本体１内部に存在するため、目立たずに好ましいものとなっている。また、ガイド８はシャッター部１０を取り外した際、開口部３から見える程度に延伸されているため、装着の際ガイド８に沿って差し込むだけで容易に装着できる。また、ガイド８はシャッター部１０の内部の溝９に収納されるような構成となっているため、コンパクトな構成が実現される。また、図５のようにガイド８にテーパを付けることで、より挿入しやすいものとなる。また、着脱機構をノズルマウント７先端の下側にあるツメ４を掛ける孔５とシャッター部１０の下側にあるツメ４から構成することにより、着脱の際、手の入れやすい本体１の下側から手を入れることができ、その際万一シャッター部１０を落とした際も手の中に落ちる構成となり便器内に落ちづらく不衛生でない。また、本実施の形態では着脱機構にツメ４を用いているが、代わりに磁石によって固定することも考えられる。この場合においては、ガイド８に沿って差し込むことでシャッター部１０に取り付けられた磁石とマウント部に取り付けられた磁石との位置合わせが可能で好都合である。また、ガイド８は側面に限定するものではなく、上面と下面の少なくとも一方に取り付けるといった例も考えられる。さらに、本実施の形態においてシャッター２を取り付けるノズルマウント７は函状の形をしているが、円筒形状や台座形状のものも考えられる。また、本発明は温風乾燥装置や脱臭装置を組み込んだ場合にも応用できる。
【００１４】
（実施の形態２）
図６は本発明の実施の形態２におけるノズルマウント部での断面図、図７はシャッター部を取り外したノズルマウント側面図であり、図１から５と同符号のものは相当する構成要素であり、詳細な説明は省略する。通常、洗浄装置、温風乾燥装置および脱臭装置の開口部３は、本体１前方の下部分に設けられる。この位置は便器上面近傍であり、ここからシャッター部１０を下方向に着脱するのは困難であり、かつ便器内に落とす危険性がある。図６において、ガイド８の下部分が略水平になるように略水平部１１を設けることにより、図７のようにほぼ水平方向に着脱することが可能となり、着脱がより容易となる。
【００１５】
（実施の形態３）
図８は本発明の実施の形態３におけるノズルマウント部での断面図あり、図１から６と同符号のものは相当する構成要素であり、詳細な説明は省略する。図８のように突起１３をシャッター部１０のツメ４の反対側に設けることで、よりしっかりと取り付けることが可能になる。
【産業上の利用可能性】
【００１６】
本発明は、人体の局部を洗浄する便座装置として有用である。
【図面の簡単な説明】
【００１７】
【図１】本発明の実施の形態１における便座装置本体の斜視図
【図２】同ノズルマウント部での断面図
【図３】同シャッター部を取り外したノズルマウント側面図
【図４】同シャッター部を取り外したノズルマウント上面図
【図５】別の実施の形態におけるシャッター部を取り外したノズルマウント側面図
【図６】本発明の実施の形態２におけるノズルマウント部での断面図
【図７】同シャッター部を取り外したノズルマウント側面図
【図８】本発明の実施の形態３におけるノズルマウント部での断面図
【図９】従来の温水装置の概略構成図
【符号の説明】
【００１８】
１  本体
３  開口部
４  ツメ
５  孔
６  ノズル本体
７  ノズルマウント
８  ガイド
１０  シャッター部
【図１】
2005171541.tif 000003
【図２】
2005171541.tif 000004
【図３】
2005171541.tif 000005
【図４】
2005171541.tif 000006
【図５】
2005171541.tif 000007
【図６】
2005171541.tif 000008
【図７】
2005171541.tif 000009
【図８】
2005171541.tif 000010
【図９】
2005171541.tif 000011